(57)【特許請求の範囲】
【請求項１】
テープが巻回されたテープスプールと、
前記テープスプールが回転可能に取り付けられるボス部を有すると共に上面が開放される下ケースと、
前記下ケースの上面を開閉する上ケースと、
を備えるテープカセットにおいて、
前記下ケースは、平面視において先端が前記ボス部よりも外側に突出する凸部を有し、
前記凸部は、前記テープスプールを前記ボス部に取り付けると前記テープスプールの内周面に接触してテープスプールの回転を規制すると共に、前記上ケースが下ケースの上面を閉塞すると前記テープスプールの内周面から離間する方向に変動してテープスプールの回転規制を解除し、
前記下ケースは樹脂製であって一体成型により底面に立設して撓み変形可能な棒状のリブを有すると共に前記凸部は前記リブに形成され、
前記上ケースは、前記下ケースの前記リブに対応する位置に配設される突起部を有し、
前記上ケースが前記下ケースを閉塞する時に前記突起部が前記リブを押圧して撓み変形させることにより前記凸部を前記テープスプール内周面から離間させることを特徴とするテープカセット。
【請求項２】
前記テープスプールの内周面には凹溝部が少なくとも一つ形成され、
前記凸部が前記凹溝部と嵌合することにより前記テープスプールの回転が規制されることを特徴とする請求項１に記載のテープカセット。
【請求項３】
前記凸部と前記テープスプールの内周面との摩擦により前記テープスプールの回転が規制されることを特徴とする請求項１に記載のテープカセット。
【請求項４】
前記ボス部は円筒状であって、軸方向に長い長孔と、長孔の上側で長孔と連続する長孔上壁部とを有し、
前記突起部は、前記上ケースが前記下ケースを閉塞する際に前記長孔上壁部に係止し、
前記リブは前記長孔の基端部から立設し、当該リブと前記長孔上壁部とは前記下ケース底面に対して垂直な同一直線上に形成されることを特徴とする請求項１に記載のテープカセット。
【請求項５】
前記テープスプールに巻回するテープは、印刷面の裏面に粘着剤層を備えてセパレータが貼り付けられるレセプターテープであることを特徴とする請求項１乃至請求項４のいずれかに記載のテープカセット。
【請求項６】
前記テープスプールに巻回するテープは、感熱発色層の裏面に粘着剤層を備えてセパレータが貼り付けられる感熱テープであることを特徴とする請求項１乃至請求項４のいずれかに記載のテープカセット。
【請求項７】
前記テープスプールに巻回するテープは、印刷後に両面粘着テープと貼り合わされる印刷面を備える被印字テープであることを特徴とする請求項１乃至請求項４のいずれかに記載のテープカセット。
【発明の詳細な説明】
【技術分野】
【０００１】
本発明は、テープが巻回されたテープスプールと、該テープスプールが回転可能に取り付けられるボス部を有すると共に上面が開放される下ケースと、該下ケースの上面を開閉する上ケースとを備えるテープカセットに関する。
【背景技術】
【０００２】
従来、テープが巻回されたテープスプールと、当該テープスプールが回転可能に取り付けられるボス部を有すると共に上面が開放される下ケースと、当該下ケースの上面を開閉する上ケースを備えるテープカセットが知られている。そのようなテープカセットを組み立てる際には、まず下ケースのボス部にテープスプールを回転可能に取り付け、その後に上ケースで下ケースを閉塞する。
【０００３】
図１７は特許文献１における従来のテープカセットの組み付け工程を示す要部の拡大断面図である。図１７のように、下ケース４０３の底面にはカセットボス４３１がほぼ垂直に立設されている。そして、カセットボス４３１の上端部の所定位置には一対の係止孔４３２、４３２が穿設されている。テープ４１４が巻回されたテープスプール４１７がカセットボス４３１に取り付けられてテープスプール４１７が下ケース４０３に収納される。
また、上ケース４０２は下ケース４０３の開放面である上面を上側から被覆するものであり、カセットボス４３１に対向する位置に所定高さの円筒状のリブ４５０が穿設されている。リブ４５０の係止孔４３２、４３２に対向する位置には、各係止孔４３２、４３２内に嵌挿される一対の係止突起４６０、４６０が形成されている。そして、上ケース４０２は、リブ４５０がテープスプール４１７の上端部に形成された段差部４１７Ａに挿入されつつ、下ケース４０３に圧接され、各係止突起４６０、４６０が係止孔４３２、４３２内に係止される。これにより、テープスプール４１７に巻回されたテープ４１４がカセットボス４３１に回転可能に取り付けられる。
【先行技術文献】
【特許文献】
【０００４】
【特許文献１】特開２０００−４３３３８号公報
【０００５】
ここで、テープスプール４１７それ自体には、テープ４１４がただ巻いているだけであり、そのバラケを防止する機構は付いていない。製造ラインにおいて、テープスプール４１７をカセットボス４３１に取り付ける工程から、上ケース４０２で下ケース４０３を完全に閉塞する工程までには一定のタイムラグがあり、その間にテープ４１４がバラケやすい。具体的に言うと、当該２工程の間にはインクリボンやローラ等、他の内容物を下ケース４０３に充填したり、上ケース４０２を下ケース４０３に被せたり、といった作業が行われ、その際の振動等によりテープスプール４１７が回転するとテープ４１４のバラケが起きてしまう。上ケース４０２と下ケース４０３とは、下ケース４０３の多数の孔部と当該多数の孔部のそれぞれに対応する上ケース４０２の突起部との係合によって嵌合するので、上記２工程の間にテープ４１４がバラけると、下ケース４０３と上ケース４０２とを嵌合する際にいずれかの突起部とそれに対応する孔部との間にテープが挟まってしまう。
また、テープ４１４がバラけたまま出荷されると、テープカセットをテープ印刷装置に装着して使用する時に、バラケた部分のテープ４１４の搬送にはより大きな力が必要となるために作成されるラベルの長さがばらついてしまう問題もある。
【０００６】
このため製造現場ではテープスプール４１７をカセットボス４３１に挿入する際に、カセットボス４１７内にバネ状の治工具（不図示）を取り付けている。そして当該治工具がカセットボス４１７に形成される孔部（不図示）を介してテープスプール４１７内周面に接触してテープスプール４１７の回転を規制することにより、バラケ防止を行っている。
【発明の概要】
【発明が解決しようとする課題】
【０００７】
しかしながら、従来の治工具を用いた回転規制ではわざわざ、孔部を介してテープスプール内周面に接触するようにバネ状の治工具をカセットボス内に取り付けなくてはならず、これによりテープスプールの組み付け作業の作業性が大幅に低減してしまう。また、該治工具を下ケースから取り外すのを忘れたテープカセットを出荷してしまうと、該治工具はテープカセットをテープ印刷装置へ取り付ける際に邪魔になってしまう。
【０００８】
本発明は、上述の問題を解決するためになされたものであり、下ケースのボス部にテープスプールを取り付ける段階でテープスプールの回転規制をすることによって、テープのバラケ防止を図りつつ、テープスプールの組み付け作業の作業性を向上させ、治工具を外し忘れる問題も解消できるテープカセットを提供することを目的とする。
【課題を解決するための手段】
【０００９】
前記目的を達成するため請求項１に係るテープカセットでは、テープが巻回されたテープスプールと、前記テープスプールが回転可能に取り付けられるボス部を有すると共に上面が開放される下ケースと、記下ケースの上面を開閉する上ケースと、備えるテープカセットにおいて、前記下ケースは、平面視において先端が前記ボス部よりも外側に突出する凸部を有し、前記凸部は、前記テープスプールを前記ボス部に取り付けると前記テープスプールの内周面に接触してテープスプールの回転を規制すると共に、前記上ケースが下ケースの上面を閉塞すると前記テープスプールの内周面から離間する方向に変動してテープスプールの回転規制を解除し、前記下ケースは樹脂製であって一体成型により底面に立設して撓み変形可能な棒状のリブを有すると共に前記凸部は前記リブに形成され、前記上ケースは、前記下ケースの前記リブに対応する位置に配設される突起部を有し、前記上ケースが前記下ケースを閉塞する時に前記突起部が前記リブを押圧して撓み変形させることにより前記凸部を前記テープスプール内周面から離間させることを特徴とする。
【００１０】
また請求項２に係るテープカセットでは、請求項１に記載のテープカセットにおいて、前記テープスプールの内周面には凹溝部が少なくとも一つ形成され、前記凸部が前記凹溝部と嵌合することにより前記テープスプールの回転が規制されることを特徴とする。
【００１１】
また請求項３に係るテープカセットでは、請求項１に記載のテープカセットにおいて、前記凸部と前記テープスプールの内周面との摩擦により前記テープスプールの回転が規制されることを特徴とする。
【００１２】
【００１３】
また請求項４に係るテープカセットでは、請求項１に記載のテープカセットにおいて、前記ボス部は円筒状であって、軸方向に長い長孔と、長孔の上側で長孔と連続する長孔上壁部とを有し、前記突起部は、前記上ケースが前記下ケースを閉塞する際に前記長孔上壁部に係止し、前記リブは前記長孔の基端部から立設し、当該リブと前記長孔上壁部とは前記下ケース底面に対して垂直な同一直線上に形成されることを特徴とする。
【００１４】
また請求項５に係るテープカセットでは、請求項１乃至請求項４のいずれかに記載のテープカセットにおいて、前記テープスプールに巻回するテープは、印刷面の裏面に粘着剤層を備えてセパレータが貼り付けられるレセプターテープであることを特徴とする。
【００１５】
また請求項６に記載のテープカセットでは、請求項１乃至請求項４のいずれかに記載のテープカセットにおいて、前記テープスプールに巻回するテープは、感熱発色層の裏面に粘着剤層を備えてセパレータが貼り付けられる感熱テープであることを特徴とする。
【００１６】
また請求項７に記載のテープカセットでは、請求項１乃至請求項４のいずれかに記載のテープカセットにおいて、前記テープスプールに巻回するテープは、印刷後に両面粘着テープと貼り合わされる印刷面を備える被印字テープであることを特徴とする。
【発明の効果】
【００１７】
請求項１に係るテープカセットでは、下ケースは平面視において先端がボス部よりも外側に突出する凸部を有し、当該凸部はテープスプールをボス部に取り付けるとテープスプールの内周面に接触してテープスプールの回転を規制する。よって請求項１のテープカセットでは下ケースのボス部にテープスプールを取り付ける動作によってテープスプールをそのまま回転が規制された状態にできるから、テープスプール組み付け時のテープのバラケ防止を図りつつ、バネ状の治工具を用いるよりもテープスプールの組み付け作業の作業性を格段に向上させることができる。また、治工具を外し忘れる問題も解消できる。
また、上ケースが下ケースを閉塞すると凸部はテープスプールの内周面から離間する方向に変動してテープスプールの回転規制を解除する。よって上ケースと下ケースの間にテープが挟まることを回避するために最も回転規制が必要とされる間にだけ回転規制を行うことができる。
更に、下ケースは樹脂製であって一体成型により底面に立設して撓み変形可能な棒状のリブを有すると共に凸部は当該リブに形成される。よって請求項１のテープカセットでは、テープスプールと接触する位置から離間する位置まで変動する凸部を、非常に簡易な構成で実現でき、製造コストを抑制できる。
また上ケースが下ケースを閉塞する時に、上ケースの突起部がリブを直接押圧して撓み変形させるから、凸部をテープスプール内周面から確実に離間させることができる。
【００１８】
請求項２に係るテープカセットでは、テープスプールの内周面には凹溝部が少なくとも一つ形成され、凸部が凹溝部と嵌合することによりテープスプールの回転が規制される。よって凸部と凹溝部との嵌合によりテープスプールの回転を確実に止めることができ、テープスプールを下ケースに取り付けてから上ケースが下ケースを閉塞するまでの間の振動等が大きくてもテープがバラケることがない。
【００１９】
請求項３のテープカセットでは、凸部とテープスプールの内周面との摩擦によりテープスプールの回転が規制される。よってテープスプールの内周面に凹溝部等を形成する必要がなく製造コスト減となるだけでなく、テープスプールをボス部に取り付ける際に凸部がテープスプール内周面のどの箇所に接触しても、取り付けた時点でテープスプールの回転を規制でき、更に作業性を向上させることができる。
【００２０】
【００２１】
また請求項４のテープカセットでは、ボス部は円筒状であって、軸方向に長い長孔と、長孔の上側で長孔と連続する長孔上壁部とを有し、突起部は、上ケースが下ケースを閉塞する際に長孔上壁部に係止し、リブは長孔の基端部から立設する。よって突起部と協働して上ケースと下ケースとを嵌合するために穿設される長孔にリブを形成できるから、ボス部の強度を減少させることなくリブを形成できる。また、突起部が、長孔及び長孔上壁部と協働して上ケースと下ケースを嵌合させる役割だけでなく、リブを押圧して凸部によるテープスプールの回転規制を解除する役割も果たすので、回動規制解除のための別の突起部を上ケースに形成する必要がなく、部品点数を抑制できる。また、上ケースが下ケースを閉塞した後、突起部はリブから継続的に上方に押される状態となるから、上ケースの突起部が形成される箇所は上方に膨らみ易い。しかしリブと長孔上壁部とは下ケース底面に対して垂直な同一直線上に形成されるから、突起部が上方に押されても突起部が係止する長孔上壁部がストッパとなり、上ケースにおける突起部の形成箇所が膨らんでしまうのを防ぐことができる。
【００２２】
請求項５のテープカセットでは、凸部は印刷面の裏面に粘着剤層を備えてセパレータが貼り付けられるレセプターテープが巻回されるテープスプールの回転を規制するから、当該レセプターテープをテープカセットへ組付ける際の作業性を向上させると共に、当該組付作業時にレセプターテープがバラケてしまうことを防止することができる。
【００２３】
請求項６のテープカセットでは、凸部は感熱発色層の裏面に粘着剤層を備えてセパレータが貼り付けられる感熱テープが巻回されるテープスプールの回転を規制するから、当該感熱テープをテープカセットへ組付ける際の作業性を向上させると共に、当該組付作業時に感熱テープがバラケてしまうことを防止することができる。
【００２４】
請求項７のテープカセットでは、凸部は印刷後に両面粘着テープと貼り合わされる印刷面を備える被印字テープが巻回されるテープスプールの回転を規制するから、当該被印字テープをテープカセットへ組付ける際の作業性を向上させると共に、当該組付作業時に被印字テープがバラケてしまうことを防止することができる。
【図面の簡単な説明】
【００２５】
【図１】第１実施形態のテープカセットの斜視図である。
【図２】第１実施形態のテープカセットの内部構成を示す平面図である。
【図３】第１実施形態のテープスプールの斜視図である。
【図４】第１実施形態の下ケースの斜視図である。
【図５】図２の部分拡大図である。
【図６】第１実施形態においてテープスプールを回転規制する過程を示すＡ−Ａ線断面図である。
【図７】第２実施形態のテープカセットの内部構成を示す平面図である。
【図８】第３実施形態のテープカセットの内部構成を示す平面図である。
【図９】第３実施形態の下ケースの斜視図である。
【図１０】図８の部分拡大図である。
【図１１】第３実施形態においてテープスプールを回転規制する過程を示すＢ−Ｂ線断面図である。
【図１２】第４実施形態のテープスプールの斜視図である。
【図１３】第４実施形態においてテープスプールを下ケースのカセットボスに取り付けた状態を示す部分拡大平面図である。
【図１４】第４実施形態においてテープスプールを回転規制する過程を示すＣ−Ｃ線断面図である。
【図１５】第６実施形態においてテープスプールが下ケースのカセットボスに嵌挿した状態を示す部分拡大平面図である。
【図１６】第６実施形態において被印字テープのテープスプールを回転規制する過程を示すＤ−Ｄ線断面図である。
【図１７】従来のテープカセットにおいてテープスプールをテープカセットに組み付ける工程を示す要部の拡大断面図である。
【発明を実施するための形態】
【００２６】
以下、本発明に係るテープカセットについて、具体化した６つの実施形態に基づいて図面を参照しつつ詳細に説明する。
[第１実施形態]
【００２７】
以下では、図１乃至図６に基づいて、第１実施形態のテープカセット１について説明する。
まず図１及び図２に基づいてテープカセット１の概略構成について説明する。図１はテープカセット１の外観を示す斜視図である。図１のように、テープカセット１は略直方体形に樹脂（実施形態ではＡＢＳ樹脂である）で形成した上下一対のケースであり、上ケース２と下ケース３とを有する。
図２は下ケース３に内容物を組み付けて上ケース２を外した状態を示す平面図である。
以下では、図１の左下側、及び図２の下側をテープカセットの前側として説明する。
図１のように、テープカセット１には各支持孔４、５、７、１０が形成されている。なお、図１中には、上ケース２に形成された各支持孔４、５、７、１０のみしか図示されていないが、下ケース３についても同様に上ケース２の各支持孔に対向して支持孔４、５、７、１０が形成されている。
【００２８】
図２のように、下ケース３の内部には、被印字媒体（テープ）であるレセプターテープ１４を巻回したテープスプール１７が収納されるほか、レセプターテープ１４に印字を施すためのインクリボン１３を巻回したリボンスプールが収納されている。また、レセプターテープ１４上に文字等を印字する際にリボンスプール２からインクリボン１３を引き出すとともに巻取るリボン巻取スプール１６も備えられている。図１及び図２のように、下ケース３の支持孔７はテープスプール１７を回動可能に支持し、下ケース３の支持孔５はリボン巻取スプール１６を支持する。
【００２９】
図１、図２のようにテープカセット１の前側には、テープスプール１７から引き出されたレセプターテープ１４、及び、リボンスプール２から引き出されたインクリボン１３を案内し、開口８Ａから送出するアーム部８が設けられており、かかるアーム部８の後方にはテープ印刷装置のサーマルヘッド（不図示）が装着されるヘッド装着部９が設けられている。
また図１に示す支持孔１０は、各インクリボン１３、レセプターテープ１４の走行方向に関しヘッド装着部９の下流側に位置して図２のテープ搬送ローラ１９を回動可能に支持する。
【００３０】
ここで、レセプターテープ１４は、片面に粘着剤が塗布された基材テープと粘着剤を介して基材テープに付着されたセパレータとから構成されており、基材テープの粘着剤が塗布されていない表面が文字等を印字する印刷面となる。図示しないが、印刷面を有する基材テープは、ポリエチエンテレフタレート（以下、「ＰＥＴ」という。）層とこのＰＥＴ層上に設けられＰＥＴ層へのインクの付着を助ける受像層とからなり、ＰＥＴ層の下に粘着剤が塗布された粘着層が、さらにその下にセパレータ（離形紙）が位置している。なお、粘着剤は、レセプターテープ１４の上下端縁までしっかりと塗布されている。かかるレセプターテープ１４は、その印刷面上に文字等が印字されて文字付テープとされた後、セパレータを剥すことにより各種の対象に対して貼り付けることが可能となるものである。レセプターテープ１４は、セパレータが外側になるようにテープスプール１７に巻回された状態でカセットケース１１内に収納されている。
【００３１】
図２のように、テープ印刷装置（図示せず）から回転駆動を受けるテープ搬送ローラ１９と、それに対向する側からテープ搬送ローラ１９に圧接される圧接ローラ２８との協働により、レセプターテープ１４は、テープスプール１７から引き出され、３つの補助ガイド２０Ａ、２０Ｂ、２０Ｃを経由して、テープカセット１の開口８Ａを通過し、テープカセット１の外部に至る。
【００３２】
インクリボン１３は、終端がリボン供給スプール２に接合され、巻回されて収納されている。一方、リボン巻取スプール１６の内側には内歯１９が形成されている。内歯１９は、テープカセット１をテープ印刷装置（不図示）に装着した際にテープ印刷装置の回転駆動端と嵌合される。内歯１９がテープ印刷装置から駆動されることにより、リボン巻取スプール１６が回転する。当該リボン巻取スプール１６の回転によりリボン供給スプール２から引き出されたインクリボン１３は、開口８Ａにてレセプターテープ１４の印刷面と重ね合わされ、レセプターテープ１４とともに開口８Ａを通過する。その後、レセプターテープ１４から離され、リボンガイド２１、２２を経由して、リボン巻取スプール１６に至る。
【００３３】
ここで、開口８Ａにてインクリボン１３と重ねあわされたレセプターテープ１４の印刷面はカセット１のヘッド装着部９に位置するサーマルヘッド（不図示）とプラテンローラ（不図示）との間を通過し、プラテンローラがサーマルヘッドに押圧されることにより、レセプターテープ１４の印刷面に印字が行なわれる。印字される画像は正像で形成される。
【００３４】
なお、テープカセット１の右後縁位置にはカセット検出部１６が形成されており、このカセット検出部１６には、テープカセット１の種類（例えば、各レセプターテープ１７の幅、インクリボン１９に塗布されたインクの色等によりテープカセット１の種類が特定される）を検出するため所定のパターンをもって複数個のスイッチ孔１６Ａが穿設されている。スイッチ孔１６Ａの形成パターンは、各テープカセット１の種類に従って異なるパターンとされており、各スイッチ孔１６Ａは、テープ印刷装置側に配設された複数個の検出スイッチ（不図示）のオン・オフの組合せに基づいて検出されるものである。
【００３５】
続いて、図３に基づいてレセプターテープ１４が巻回されたテープスプール１７について説明する。図３のように、テープスプール１７は、レセプターテープ１４の幅と略等しい高さを有する外側円筒部１７Ａと、外側円筒部１７Ａに対して小さい内径寸法を有して外側円筒部１７Ａの内側に配置する内側円筒部１７Ｂとが連結されている。当該構成により以下では内側円筒部１７Ｂの内周面をテープスプール１７の内周面１７Ｄと呼ぶ。内側円筒部１７Ｂの高さ寸法は外側円筒部１７Ａよりも小さく、外側円筒部１７Ａ内側の上下端部には、それぞれ内側円筒部１７Ｂとの高低差によって段差部１７Ｃが形成される（図６（Ｂ）等参照）。内側円筒部１７Ｂの内周面には９０°間隔毎に凹溝部１８が形成されている。各凹溝部１８はテープスプール１７の軸方向に長く、内側円筒部１７Ｂの上端から下端までの全長に渡って形成される。
【００３６】
続いて、図４に基づいて下ケース３に形成される凸部３４について説明する。図４は下ケース３において内容物を全て取り払った状態を示す斜視図である。
図４のように、下ケース３の底面３Ａには、上述したリボン巻取スプール１６を回転可能に支持する支持孔５や、テープ搬送ローラ１９が回転可能に支持される支持孔１０が形成されている。またリボン供給スプール２を回転可能に支持する２段円柱状のリボンボス５１も突設されている。また、レセプターテープ１４を巻回するテープスプール１７が回転可能に嵌挿するカセットボス３１も底面３Ａから略垂直な方向に立設されている。
【００３７】
ここで、テープスプール１７が嵌挿されるカセットボス３１の構成を詳述する。カセットボス３１は略円筒状をしており、その周囲を円筒状のリブ４０に同心状に取り囲まれている。カセットボス３１の内部は空洞であり、その内周面により下ケース３の支持孔７を構成する（図６等参照）。カセットボス３１の周壁には一対の長孔３２、３２が穿設される。各長孔３２、３２は、平面視円周状のカセットボス３１の周壁に１８０°間隔で形成されてテープカセット１の長手方向に並列している。各長孔３２、３２は略円筒状のカセットボス３１の軸線方向に長い細長な略長方形状をしており、下側では下ケース３の底面３Ａまで延びる。しかし長孔３２の上側はカセットボス３１の上端までは到達せず、各長孔３２の上側には、カセットボス３１の略円筒状の周壁の一部として各長孔３２と連続する長孔上壁部３５、３５が存在している。
【００３８】
また各長孔３２、３２の基端部３２Ａ、３２Ａからはそれぞれ棒状のリブ３３、３３が立設している。すなわち下ケース３の底面３Ａにおいてリブ３３、３３はカセットボス３１の下端部が立設される円周上に１８０°間隔で配設される。各リブ３３は細長板形状をしており各リブ３３の下端部３３Ａ（図６参照）は平面視略長方形をしており当該長方形の長手方向が当該円周に沿うように配設される。またリブ３３、３３は樹脂製の下ケース３の底面３Ａと一体に形成されており、底面３Ａと接続する下端部３３Ａを中心に、カセットボス３１を平面視した円周上の接線に対して略直角な方向に撓み変形可能である。リブ３３の横幅は長孔３２の横幅よりも若干小さく形成されると共に、その高さ寸法も長孔３２の高さ寸法よりも若干小さく形成される。このため、長孔上壁部３５とリブ３３上端部との間には隙間が形成される（図６（Ａ）等参照）。また、各リブ３３の先端には、外側に向うに従い下方に傾斜するテーパ面３３Ｂが形成されている（図６参照）。
【００３９】
各リブ３３はその先端より少し下側の位置にそれぞれ外側に突起する凸部３４、３４を有する（図４では左側の凸部３４は隠れて見えない）。凸部３４については後述する。
【００４０】
図３及び図４のように、下ケース３において補助ガイド２０Ａ〜２０Ｃやリボンガイド２１、２２には上方に向けて開口する円形孔が形成されている。これらの孔のほか下ケース３の外周付近には円形孔部２３Ａ〜２３Ｆが形成されており、これら各孔が上ケース２下面の対応する位置に形成される各棒状突起部（不図示）と嵌合することにより、下ケース２と上ケース３とが嵌着する。
【００４１】
続いて、図５及び図６に基づいて、テープスプール１７の回転規制がなされる過程を説明する。図６（Ａ）はカセットボス３１にテープスプール１７が嵌挿される前の状態、図５と図６（Ｂ）はテープスプール１７がカセットボス３１に嵌挿して凸部３４が凹溝部１８と嵌合した状態、図６（Ｃ）は上ケース２を下ケース３に嵌着して下ケース３の上面を閉塞した状態を示す。図６（Ａ）〜（Ｃ）は各段階のカセットボス３１を図５のＡ−Ａ線で切断した要部拡大断面図である。
【００４２】
図６（Ａ）のように、リブ３３は長孔の基端部３２Ａに立設し、リブ３３の下端部３３Ａとその上方に位置する長孔上壁部３５とは、下ケース３の底面３Ａと垂直な同一の線上に配設されている。またリブ３３は底面３Ａに対して略垂直な状態に立設している。
【００４３】
続いて図５及び図６（Ｂ）のように、カセットボス３１にテープスプール１７を嵌挿させた後にカセットボス３１の回りにテープスプール１７を回転させるとリブ３３上に形成される上述の凸部３４が、テープスプール１７の凹溝部１８に嵌入する。
【００４４】
図５のように、凸部３４の幅（カセットボス３１の外周に沿う幅）はテープスプール１７に形成される凹溝部１８の幅よりかなり小さい（実施形態では凸部３４の幅は凹溝部１７の幅の１／２〜１／３程度である）。また凸部３４の高さ寸法（カセットボス３１の中心軸と垂直な方向における凸部３４の基端部から先端までの長さ）は凹溝部３４の深さ寸法よりも若干大きいか又は同程度である。よってテープスプール１７の僅かな回転により凸部３４は凹溝部１８内に嵌入する。
図５に示すように、凹溝部１８の底面１８Ａはテープスプール１７の中心軸を、凸部３４はカセットボス３１の中心軸を、それぞれ中心とする平面視円弧状に形成される。よって凸部３４は、凸部３４を凹溝部１８内に嵌入させるためにテープスプール１７が僅かに回転する間に、その先端面３４Ａがテープスプール１７の内周面１７Ｄを滑ってスムーズに凹溝部１８内に嵌入する。嵌入後は凸部３４の先端面３４Ａと凹溝部１８の底面１８Ａとが密接して凸部３４と凹溝部１８とがしっかり嵌合する。
【００４５】
図６（Ａ）及び図６（Ｂ）に示すように、テープスプール１７がカセットボス３１に嵌挿するといったん凸部３４がテープスプール３１に押圧されてリブ３３は内側に撓み変形するが、凸部３４が凹溝部１８に嵌入するとリブ３３はテープスプール３３の嵌挿前の形状に戻る。図５のように平面視において凹溝部１８内に嵌入した凸部３４の先端面３４Ａはカセットボス３１の外周面から突出しており、これはテープスプール１７の嵌挿前とも同様である。
図６（Ｂ）のように、カセットボス３１に嵌挿したテープスプール１７の内周面１７Ｄはカセットボス３１の外周面とほぼ当接すると共に、下側段差部１７Ｃの下部（外側円筒部１７Ａの内周部）が円筒状のリブ４０と当接した状態となっている。
【００４６】
更に、図６（Ｃ）に示すように、上ケース２を下ケース３に嵌着して下ケース３の上面を閉塞する。ここで、上ケース２の下面には長孔３２、３２と対向する位置に係止突起６０、６０が形成されている。各係止突起６０は上ケース２下面から略垂直に突出する基部６０Ａと基部６０Ａから内側に突出する先端部６０Ｂとからなり、先端部６０Ｂの上面は上ケース２の下面と略平行な水平面に形成されている。
【００４７】
ここで、上ケース２を下ケース３に嵌着しようとすると、各係止突起６０は長孔上壁部３５に上方から当接することになる。係止突起６０、６０の先端間の距離は長孔上壁部３５、３５間の距離よりも小さいものの、各係止突起６０の先端部６０Ｂの内側下端にテーパ面６０Ｃが形成され、このテーパ面６０Ｃが長孔上壁部３５外側上端部に形成されるテーパ面と対応することにより、各係止突起６０の先端部６０Ｂの内側面が長孔上壁部３５の外側面に当接するように案内されてそのまま下方にスライドし、長孔６０に外側から嵌入する。すると、各係止突起６０の各先端部６０Ｂの上面が長孔上壁部３５の下端面に当接し、係止突起６０が長孔上壁部３５に係止した状態となる。長孔上壁部３５の下端面も下ケース３の底面３Ａと平行な水平面に形成され、係止突起６０の先端面６０Ｂの上面に対応する。
【００４８】
同時に、係止突起６０の先端部６０Ｂはリブ３３の先端に当接してリブ３３を内側に押圧する。リブ３３外側上端に形成されるテーパ面３３Ｂは、係止突起６０のテーパ面６０Ｃに対応した形状をしており、リブ３３先端と係止突起６０とが面と面（テーパ面３３Ｂとテーパ面６０Ｃ）とで当接することにより、リブ３３の先端が係止突起６０の押圧力をしっかり受けることができる。これにより、リブ３３は下端部３３Ａを中心に内側方向に撓み変形し、凸部３４が凹溝部１８から離間する。図６（Ｃ）のように、凸部３４の先端がテープスプール１７の内周面１７Ｄより内側に変動して、テープスプール１７が凸部３４に邪魔されずに回転可能になる。
【００４９】
また、このとき、リブ３３先端には係止突起６０を持ち上げようとする力が働くが、係止突起６０がリブ３３により上側に押されても、係止突起６０の先端部６０Ｂの上面を長孔上壁部３４の下端面が押圧する。
【００５０】
以上詳細に説明したように、第１実施形態のテープカセット１では、下ケース３は平面視において先端面３４Ａがカセットボス３１よりも外側に突出する凸部３４を有し、凸部３４はテープスプール１７をカセットボス３１に取り付けるとテープスプール１７の内周面１７Ｄに接触してテープスプール１７の回転を規制する。よってテープカセット１では下ケース３のカセットボス３１にテープスプール１７を取り付ける動作によってテープスプール１７をそのまま回転が規制された状態にできるから、レセプターテープ１４のバラケ防止を図りつつ、バネ状の治工具を用いるよりもテープスプール１７のテープカセット１への取り付け作業の作業性を格段に向上させることができる。また、治工具を外し忘れる問題も解消できる。
また、上ケース２が下ケース３を閉塞すると凸部３４はテープスプール１７の内周面１７Ｄから離間する内側方向に変動してテープスプール１７の回転規制を解除する。よって上ケース２と下ケース３の間にレセプターテープ１４が挟まることを回避するために最も回転規制が必要とされる間にだけ回転規制を行って、凸部３４とテープスプール１７との接触が印刷の弊害となるのを防止できる。
【００５１】
またテープスプール１７の内周面１７Ｄには凹溝部１８が形成され、凸部３４が凹溝部１８と嵌合することによりテープスプール１７の回転が規制される。よって凸部３４と凹溝部１８との嵌合によりテープスプール１７の回転を確実に止めることができ、テープスプール１７を下ケース３に取り付けてから上ケース２で下ケース３を閉塞するまでの間の振動等が大きくてもレセプターテープ１４がバラケることがない。
【００５２】
また、テープカセット１では、下ケース３は樹脂製であって一体成型により底面に立設して撓み変形可能な棒状のリブ３３を有すると共に凸部３４は当該リブ３３に形成される。よってテープスプール１７と接触する位置から、離間する位置まで変動する凸部３４を、非常に簡易な構成で実現でき、製造コストを抑制できる。
また上ケース２が下ケース３を閉塞する時に、上ケース２の係止突起６０がリブ３３を直接押圧してリブを撓み変形させるから、凸部３４をテープスプール１７の内周面１７Ｄから確実に離間させることができる。
【００５３】
またテープカセット１では、カセットボス３１は円筒状であって、軸方向に長い長孔３２、３２と、長孔３２、３２の上側で長孔と連続する長孔上壁部３５、３５とを有し、係止突起６０、６０は、上ケース２が下ケース３を閉塞する際に長孔上壁部３５、３５に係止し、リブ３３、３３は長孔３２、３２の基端部３２Ａ、３２Ａから立設する。よって係止突起６０、６０と協働して上ケース２と下ケース３とを嵌着するために穿設される長孔３２、３２にリブ３３、３３を形成できるから、カセットボス３１の強度を減少させることなくリブ３３、３３を形成できる。また、係止突起６０、６０が、長孔３２、３２及び長孔上壁部３５、３５と協働して上ケース２と下ケース３とを嵌着させる役割だけでなく、リブ３３、３３を押圧してテープスプール１７の回転規制を解除する役割も果たすので、回動規制解除のための別の突起部を上ケース２に形成する必要がなく製造コスト減に繋がる。また、上ケース２が下ケース４を閉塞した後、係止突起６０、６０はリブ３３、３３から継続的に上方に押される状態となるから、上ケース２の係止突起６０、６０が形成される箇所は上方に膨らみ易い。しかしリブ３３と長孔上壁部３５とは下ケース３の底面３Ａに対して垂直な同一直線上に形成されるから、係止突起６０、６０が上方に押されても長孔上壁部３５、３５がストッパとなり、上ケース２における係止突起６０、６０の形成箇所が膨らんでしまうのを防ぐことができる。
［第２実施形態］
【００５４】
続いて、図７に基づいて第２実施形態のテープカセット１００について説明する。なお、以降第２実施形態〜第６実施形態では第１実施形態と同一又は相等する構成については第１実施形態と同一の符号を付して説明を省略する。
第２実施形態では第１実施形態と異なり、テープスプール１７に巻回されているのが、レセプターテープ１４ではなく、感熱テープ７４である。感熱テープ７４はＰＥＴ等からなり、印刷面に感熱発色層を備え、印刷面の裏面に粘着剤層を備えた基材テープと、基材テープの粘着剤層に貼着されるセパレータとから構成されている。
【００５５】
感熱テープ７４はセパレータが外側となるようにテープスプール１７に巻回される。図７のように、テープ印刷装置（図示せず）から回転駆動を受けるテープ搬送ローラ１９と、それに対向する側からテープ搬送ローラ１９に圧接される圧接ローラ２８との協働により、感熱テープ７４は、テープスプール１７から引き出され、補助ガイド２０Ａ、２０Ｂ、２０Ｃを経由して、開口８Ａを通過し、テープカセット１の外部に至る。そして、ヘッド装着部９に位置するテープ印刷装置のサーマルヘッド（不図示）の加熱により選択的に感熱発色層が発色することにより感熱テープ７４の印刷面に印字が行なわれる。印字される画像は正像である。
【００５６】
その他、テープカセット１００の外観は図１に示すものと同様であり、また感熱テープ７４を巻回したテープスプール１７の構成は図３に示すものと同様である。下ケース３の構成は図４に示すものと同様であり、感熱テープ７４のバラケを凸部３４により防止する過程も図５、図６に示すものと同様である。
【００５７】
従って、第２実施形態のテープカセット１００では、上述した第１実施形態のテープカセット１が奏する効果の他に、凸部３４は感熱発色層の裏面に粘着剤層を備えてセパレータが貼り付けられる感熱テープ７４が巻回されるテープスプール１７の回転を規制するから、感熱テープ７４をテープカセット１００へ組付ける際の作業性を向上させつつ当該組付作業時に感熱テープ７４がバラケてしまうことを防止することができる。
［第３実施形態］  
【００５８】
続いて、図８〜図１１に基づいて第３実施形態のテープカセット２００について説明する。テープカセット２００の外観は図１に示すものと同様である。
図８に示すように、第３実施形態では、レセプターテープ１４が巻回されるテープスプール１７の替わりに両面粘着テープ８２が巻回される基材供給スプール８５が、カセットボス３１に嵌挿する。また、カセットボス３１に隣接するカセットボス４１に、被印字テープ８４が巻回されるテープスプール８７が嵌挿している。
【００５９】
被印字テープ８４は、ＰＥＴ層と、ＰＥＴ層上に設けられＰＥＴ層へのインクの付着を助ける受像層を備える透明テープであり、印刷面が内側となるようにテープスプール８７に巻回されている。また、両面粘着テープ８２は、被印字テープ８４と同一幅で両面に接着剤層を有すると共にその片面に対しセパレータを貼り合わせて構成され、セパレータが外側に位置するように、基材供給スプール８５に巻回されている。両面粘着テープ８２はその巻回状態においてテープ内側の粘着層が当該テープの内側に位置するセパレータと接する状態で巻回されるためバラケが比較的少ない。よって以下では両面粘着テープ８２が巻回される基材供給スプール８５の回転規制の説明は行わないが、この点は何ら本発明を限定しない。
【００６０】
図８のように、テープ印刷装置（不図示）から回転駆動を受けるテープ搬送ローラ１９と、それに対向する側からテープ搬送ローラ１９に圧接される圧接ローラ２８との協働により、被印字テープ８４は、テープスプール８７から引き出され、補助ガイド２０Ａ〜２０Ｃを経由して、開口８Ａを通過する。開口８Ａにおいて被印字テープ８４はその印刷面がインクリボン１３と重ね合わされた状態で、ヘッド装着部９に位置するテープ印刷装置のサーマルヘッド（不図示）とプラテンローラ（不図示）との間を通過する際に、プラテンローラがインクリボン１３と被印字テープ８４とをサーマルヘッドに対して押圧して被印字テープ８４に印字が行なわれる。なお印字される画像は鏡像で形成される。
【００６１】
一方、両面粘着テープ８２はテープ搬送ローラ１９と圧接ローラ２８との協働により、基材供給スプール８５から引き出される。そして印字済みの被印字テープ８４と両面粘着テープ８２とがテープ搬送ローラ１９と圧接ローラ２８の間を通過することにより被印刷テープ８４の印字済みの印刷面と両面粘着テープ８２の接着剤層とが貼り合わされて、積層テープとしてテープカセット２００の外部に至る。よって、ユーザは、被印字テープ８４の印刷面の裏面側（即ち、積層テープの表面側）から印刷画像の正像を視認可能である。
【００６２】
また、図９に示すように、第３実施形態の下ケース１０３が第１実施形態と異なるのは、基材供給スプール８５が嵌挿するカセットボス３１の長孔３２、３２の基端部にはリブが形成されていない一方で、被印字テープ８４を巻回するテープスプール８７が嵌挿するカセットボス４１における長孔４２、４２の基端部４２Ａ、４２Ａ（図１１（Ａ）参照）には棒状のリブ４３、４３が立設される点である。
【００６３】
カセットボス４１、長孔４２、リブ４３の構成は、図４で説明したカセットボス３１、長孔３２、リブ３３の各構成とほぼ同様である。
すなわちカセットボス４１は空洞な略円筒状の周壁からなり、その内周面は下ケース１０３の支持孔４を構成する（図１、図１１等参照）。また各長孔４２、４２はカセットボス４１の周壁において１８０°間隔で設けられてテープカセット２００の長手方向に並列する。各長孔４２、４２はカセットボス４１の軸線方向に長い細長な略長方形状である。各長孔４２、４２は、下方では下ケース３の底面まで延びるが、上方では周壁上端まで到達せず、下端面が水平に形成された長孔上壁部４５、４５と連続している。また下ケース１０３の底面１０３Ａにおける各長孔４２、４２の基端部４２Ａ、４２Ａからはそれぞれ棒状のリブ４３、４３が立設している。
すなわちリブ４３、４３は、底面１０３Ａにおいてカセットボス４１の基端部が立設する円周上のうち、１８０°間隔の２箇所から立設される。そして細長い板状のリブ４３、４３は平面視においてその先端面の略長方形の長手方向が当該円周に沿うように配設される。またリブ４３、４３は樹脂製の下ケース１０３の底面１０３Ａと一体に形成され、基端部４３Ａを中心に、カセットボス３１の円周上の接線に対して略直角な方向（図１１の左右方向）に撓み変形可能である。リブ４３の高さ寸法は長孔４２よりも若干小さく、長孔上壁部４５とリブ４３上端部との間には隙間が形成される。各リブ４３の先端には、外側に向うに従い下方に傾斜するテーパ面４３Ｂが形成されている（図１１参照）。
また各リブ４３の先端より少し下側に、外側方向に突出する凸部４４が形成される。
【００６４】
なお、被印字テープ８４を巻回するテープスプール８７の構成は図３等に示すテープスプール１７の構成とほぼ同様であり、外側円筒部８７Ａと内側円筒部８７Ｂとが連結してその間に段差部８７Ｃが形成され、内側円筒部８７の内周面がテープスプール８８の内周面８７Ｄを構成する。図１０、図１１に外側円筒部８７Ａ、内側円筒部８７Ｂ、段差部８７Ｃ、内周面８７Ｄが示されている。
【００６５】
続いて図１０及び図１１に基づいて、第３実施形態においてテープスプール８７の回転規制がなされる過程を示す。当該過程は第１実施形態とほぼ同様であるから、以下はかいつまんで説明する。図１１（Ａ）〜（Ｃ）は各段階のカセットボス３１を図１０のＢ−Ｂ線で切断した要部拡大断面図である。
【００６６】
図１１（Ａ）のように、リブ４３の基端部４３Ａとその上方に位置する長孔上壁部４５とは、下ケース１０３の底面１０３Ａと垂直な同一の線上に配設されている。
そして図１０及び図１１（Ｂ）のように、カセットボス４１にテープスプール８７を嵌挿した後にカセットボス４１の回りにテープスプール８７を回転させるとリブ４３上に形成される上述の凸部４４が、テープスプール８７の凹溝部８８に嵌入する。
【００６７】
図１０のように、凸部４４の幅はテープスプール８７に形成される凹溝部８８の幅の１／２〜２／３程度である。また凸部４４の高さ寸法は凹溝部８８の深さ寸法よりも若干大きいか又は同程度である。なお、図１０のように、凹溝部８８の底面８８Ａはテープスプール８７の中心軸を、凸部４４の先端面４４Ａはカセットボス４１の中心軸を、それぞれ中心とする平面視円弧状に形成される。よって凸部４４は、カセットボス４１に嵌挿したテープスプール９７を回転させる際に、その先端面４４Ａがテープスプール８７の内周面８７Ｄを滑ってスムーズに凹溝部８８内に嵌入する。嵌入後は凸部４４の先端面４４Ａと凹溝部８８の底面８８Ａとが密接して凸部４４と凹溝部８８とがしっかり嵌合する。
【００６８】
図１１（Ａ）及び図１１（Ｂ）に示すように、テープスプール８７がカセットボス４１に嵌挿すると、テープスプール８７の内周面８７Ｄに押されてリブ４３は内側に撓み変形するが、凸部４４がテープスプール８７の凹溝部８８に嵌入すると、リブ４３はテープスプール８７をカセットボス４１に嵌挿する前の状態とほぼ同じ形状に戻る。
【００６９】
更に、図１１（Ｃ）に示すように、上ケース１０２を下ケース１０３に嵌着して下ケース１０３の上面を閉塞する。上ケース１０２の下面には、長孔４２、４２に対応する位置に係止突起９０、９０が形成されている。各係止突起９０は上ケース１０２下面から略垂直に突出する基部９０Ａと基部９０Ａから内側に突出する先端部９０Ｂとからなり、先端部９０Ｂの上面は上ケース２の下面と略平行な水平面に形成されている。
そして下ケース１０３の閉塞時には係止突起９０、９０の各先端部９０Ｂ、９０Ｂが長孔上壁部４５、４５に上方から当接し、長孔上壁部４５、４５の外側面を下方にスライドして長孔９０、９０に嵌入する。すると、各係止突起９０の各先端部９０Ｂの上面が長孔上壁部４５の下端面に当接し、係止突起９０が長孔上壁部４５に係止した状態となる。
【００７０】
同時に、係止突起９０の先端部９０Ｂはリブ４３の先端に当接してリブ４３を内側に押圧する。リブ４３外側上端に形成されるテーパ面４３Ｂは、係止突起９０のテーパ面９０Ｃに対応した形状をしており、リブ４３先端と係止突起９０とが面と面とで当接することにより、リブ４３の先端が係止突起９０の押圧力を確実に受ける。これにより、リブ４３は基端部４３Ａを中心に内側方向に撓み変形し、凸部４４が凹溝部８８から離間する。凸部４４の先端はテープスプール８７の内周面８７Ｄより内側に変動して、テープスプール８７が回転可能となる。
【００７１】
よって、第３実施形態のテープカセット２００では、上記第１実施形態で説明したテープカセット１の各効果を有するほか、凸部４４が回転を規制するテープスプール８７は、印刷後に両面粘着テープ８２と貼り合わされる印刷面を備える被印字テープ８４が巻回されるから、該被印字テープ８４をテープカセット２００へ組付ける際の作業性を向上させつつ該組付け作業時に被印字テープ８４がバラケてしまうことを防止することができる。［第４実施形態］  
【００７２】
続いて、図１２〜図１４に基づいて、第４実施形態のテープカセット３００について説明する。第４実施形態のテープカセット３００はレセプターテープ１４が巻回されたテープスプール９７について説明する。第４実施形態のテープカセット３００において第１実施形態と異なるのは、レセプターテープ１４を巻回するテープスプール９７の形状と、下ケース３の長孔３２、３２に立設する棒状のリブ１３３、１３３の形状であり、その他の点では第１実施形態と同様である。よってテープカセット３００の外観は図１と同様であり、またテープカセット３００の内部構成は図２について、テープスプール１７とカセットボス３１とを示す拡大部分を図１３に変更したものとなる。
【００７３】
図１２に示すように、レセプターテープ１４を巻回するテープスプール９７は、第１実施形態のテープスプール１７とほぼ同様の構成を有するが、テープスプール９７の内周面９７Ｄには凹溝部が形成されない点で第１実施形態と異なっている。
【００７４】
また第４実施形態の下ケース２０３は、第１実施形態の下ケース３とほぼ同様の構成を有するが、第１実施形態において、長孔３２の基端部３２Ａに立設されるリブ３３が下ケース３の底面３Ａから略垂直方向に立設されていたのに対し、図１４（Ａ）のように、第３実施形態では長孔３２の基端部３２Ａに立設されるリブ１３３は底面２０３Ａに対して斜めに立設している点で異なる。具体的に言うと、リブ１３３、１３３は、底面２０３Ａと接続する下端部１３３Ａ、１３３Ａから上方に向うに従いそれぞれ外側に傾斜するように形成されている。よって各リブ１３３、１３３の先端から僅かに下側に形成される凸部１３４、１３４は長孔３２よりも大きく外側に外れた位置にあり、その先端と外側の円筒状のリブ４０の内側面とは、底面２０３Ａに対して垂直な同一線上にある。
【００７５】
そして図１４（Ｂ）のように、レセプターテープ１４が巻回されたテープスプール９７をカセットボス３１に嵌挿すると、テープスプール９７の内周面９７Ｄによって凸部１３４、１３４が押圧されて各リブ１３３、１３３が下端部１３３Ａ、１３３Ａを中心に内側に撓み変形する。そして凸部１３４がテープスプール９７の内周面９７Ｄを押圧する力によって（具体的に言うと、凸部１３４がテープスプール９７の内周面９７Ｄを押圧する力に比例する摩擦力により）テープスプール１４の回転が規制される。
なお第４実施形態でも、リブ１３３先端には外側に向うに従い下方へ傾斜するテーパ面１３３Ｂが形成されるが、当該テーパ面１３３Ｂは、テープスプール９７をカセットボス３１に嵌挿する際に、テープスプール９７の下側段差部９７Ｃが凸部１３４と干渉してもテープスプール９７をスムーズに下方に進入させる役割も担う。
【００７６】
図１３のように、凸部１３４、１３４は、テープスプール９７の内周面９７Ｄを１８０°離れた２箇所において互いに反対方向に押圧しているため、テープスプール９７は回転を停止した状態で安定する。
また、凸部１３４の先端面１３４Ａは、テープスプール９７をカセットボス３１に嵌挿する際にテープスプール９７の内周面９７Ｄと面一になるように、平面視においてカセットボス３１の中心軸を中心とする円弧状に形成される。これにより、凸部１３４の先端面１３４Ａ全体がテープスプール９７の内周面９７Ｄに密着するので、摩擦によるテープスプール９７の回転規制力をより高めることができる。
【００７７】
続いて図１４（Ｃ）のように、上ケース２を下ケース２０３に嵌着して下ケース２０３の上面を閉塞する。
第１実施形態等と同様に、上ケース２下面において長孔３２、３２と対応する位置に形成される係止突起６０、６０の各先端部６０Ｂ、６０Ｂが長孔３２、３２に外側から嵌入し、各先端部６０Ｂ、６０Ｂの上面が各長孔上壁部３５、３５の下端面に当接する。同時に、係止突起６０の先端部６０Ｂはリブ１３３の先端に当接してリブ１３３を内側に押圧する。リブ１３３のテーパ面１３３Ｂと、係止突起６０のテーパ面６０Ｃとが当接して、リブ１３３の先端が係止突起６０の押圧力を確実に受ける。これにより、リブ１３３は下端部１３３Ａを中心に内側方向に更に撓み変形し、凸部１３４がテープスプール９７の内周面９７Ｄから離間して、テープスプール９７が回転可能になる。
【００７８】
従って第４実施形態のテープカセット３００では、上記の第１実施形態のテープカセット１について説明した効果のほかに、凸部１３４とテープスプール９７の内周面９７Ｄとの摩擦によりテープスプール９７の回転が規制される。よってテープスプール９７の内周面９７Ｄに凹溝部等を形成する必要がなく製造コスト減となるだけでなく、テープスプール９７をカセットボス３１に取り付ける際に凸部１３４がテープスプール９７の内周面９７Ｄのどの箇所に接触しても、取り付けた時点でテープスプール９７の回転を規制できる。
［第５実施形態］
【００７９】
図示しないが、第５実施形態のテープカセットは、テープスプール９７にレセプターテープ１４の替わりに感熱テープ７４を巻回した感熱タイプのテープカセットである他は第４実施形態のテープカセット３００と同様である。つまり、第５実施形態のテープカセットは、第１実施形態から第４実施形態への変更（テープスプール９７に凹溝部を形成せず、下ケース２０３において長孔３２に形成されるリブ１３３を斜めに立設させる）を第２実施形態の感熱タイプのテープカセット１０に行ったものとも言える。
【００８０】
よって第５実施形態のテープカセットは、第１実施形態及び第４実施形態で説明した効果のほかに、感熱テープ７４をテープカセット３００へ組付ける作業性を向上させつつ当該組付作業時に感熱テープ７４がバラケてしまうことを防止できるという効果を有する。
［第６実施形態］
【００８１】
続いて、図１５及び図１６に基づいて第６実施形態のテープカセット４００について説明する。第６実施形態のテープカセット４００は、被印字テープ８４が巻回されたテープスプール１０７に凹溝部を形成せず、当該テープスプール１０７が嵌挿するカセットボス１４１の長孔４２からリブ１４３を斜めに立設させる点以外は第３実施形態のテープカセット２００とほぼ同様である。
【００８２】
すなわち第６実施形態において被印字テープ８４が巻回されたテープスプール１０７の外観は、図１２に示すレセプターテープ１４を巻回したテープスプール９７と同様である。
また図１６（Ａ）のように、長孔４２、４２の基端部４２Ａ、４２Ａから立設すると共に凸部１４４を備えたリブ１４３、１４３は、下端部１４３Ａ、１４３Ａから上方に向うに連れて外側に傾斜する。
【００８３】
図１６（Ｂ）に示すように、被印字テープ８４を巻回したテープスプール１０７は、各リブ１４３先端に形成されるテーパ面１４３Ｂに案内されてスムーズにカセットボス１４１に取り付けられる。すると、リブ１４３、１４３がテープスプール１０７の内周面１０７Ｄに押圧されて、内側に撓み変形する。そして凸部１４４、１４４がテープスプール１０７の内周面１０７Ｄを押圧する力によってテープスプール１０７の回転が規制される。
【００８４】
図１５のように、凸部１４４、１４４は、テープスプール１０７の内周面１０７Ｄを１８０°離れた２箇所において互いに反対方向に押圧しているため、テープスプール１０７は回転を停止した状態で安定する。
また、凸部１４４の先端面１４４Ａは、テープスプール１０７をカセットボス１４１に嵌挿する際にテープスプール１０７の内周面１０７Ｄと面一になるように、平面視においてカセットボス１４１の中心軸を中心とする円弧状に形成される。これにより、凸部１４４の先端面１４４Ａ全体がテープスプール１０７の内周面１０７Ｄに密着するので、摩擦によるテープスプール１０７の回転規制力をより高めることができる。
【００８５】
続いて図１６（Ｃ）のように、上ケース１０２を下ケース３０３に嵌着して下ケース３０３の上面を閉塞する。
第３実施形態と同様に、上ケース１０２下面において長孔４２、４２と対応する位置に形成される係止突起９０、９０の各先端部９０Ｂ、９０Ｂが長孔４２、４２に外側から嵌入し、各先端部９０Ｂ、９０Ｂの上面が各長孔上壁部４５、４５の下端面に当接する。同時に、係止突起９０の先端部９０Ｂはリブ１４３の先端に当接してリブ１４３を内側に押圧する。リブ１４３のテーパ面１４３Ｂと、係止突起９０のテーパ面９０Ｃとが当接して、リブ１４３の先端が係止突起９０の押圧力を確実に受ける。これにより、リブ１４３は下端部１４３Ａを中心に内側方向に更に撓み変形し、凸部１４４がテープスプール１０７の内周面１０７Ｄから離間して、テープスプール１０７が回転可能になる。
【００８６】
従って、第６実施形態のテープカセット４００では、上記の第１実施形態のテープカセット１及び第４実施形態のテープカセットが奏する効果のほかに、凸部１４４は印刷後に両面粘着テープ８２と貼り合わされる印刷面を備える被印字テープ８４が巻回されるテープスプール１０７の回転を規制するから、当該被印字テープ８４をテープカセット４００へ組付ける際の作業性を向上させつつ当該組付け作業時に被印字テープ８４がバラケてしまうことを防止することができる。
【００８７】
尚、本発明は前記実施形態に限定されることはなく、本発明の要旨を逸脱しない範囲内で種々の改良、変形が可能であることは勿論である。
例えば実施形態ではレセプターテープ又は感熱テープ用のカセットボスと、被印字テープ用のカセットボスのいずれかにテープスプール回転規制のためのリブを設けたが、両方のカセットボスにリブが形成されたテープカセットも、当然本発明に包含される。
【００８８】
また、リブの位置は、必ずしも長孔の基端部である必要はなく、例えば長孔の位置と略直交するカセットボスの基端部に配置してもよい。その場合は、カセットボスの一部を棒状に形成してリブとするのでもよい。なお、上ケースには長孔上壁部に係止する突起部のほかに、リブを押圧するための突起部を別に設ければよい。
【００８９】
また、本発明は例えばインクリボンを巻回するスプールに用いてもよいが、インクリボンよりも実施形態で挙げたレセプターテープ、感熱テープ及び被印字テープの方が、テープ厚さ等の理由からバラケやすく、本発明の効果が大きい。
【００９０】
また第３〜５実施形態では、テープスプールの回転規制をするリブを斜めに立設させたが、凸部をより高くしたり、リブの形状を変形する等によって凸部によりテープスプールの内周面を押圧する力を高めることも可能である。
【符号の説明】
【００９１】
１、１００、２００、３００、４００    テープカセット
２、１０２                            上ケース
３、１０３、２０３、３０３            下ケース
１４                                  レセプターテープ
１７、８７、９７、１０７              テープスプール
１７Ｄ、８７Ｄ、９７Ｄ、１０７Ｄ      テープスプール内周面
１８、８８                            凹溝部  
３１、４１                            カセットボス
３２、４２                            長孔
３２Ａ、４２Ａ                        長孔の基端部
３３、４３、１３３、１４３            リブ
３５、４５                            長孔上壁部
３４、４４、１３４、１４４            凸部
６０、９０                            係止突起
７４                                  感熱テープ
８４                                  被印字テープ
【図１】
0005533400.tif 000002
【図２】
0005533400.tif 000003
【図３】
0005533400.tif 000004
【図４】
0005533400.tif 000005
【図５】
0005533400.tif 000006
【図６】
0005533400.tif 000007
【図７】
0005533400.tif 000008
【図８】
0005533400.tif 000009
【図９】
0005533400.tif 000010
【図１０】
0005533400.tif 000011
【図１１】
0005533400.tif 000012
【図１２】
0005533400.tif 000013
【図１３】
0005533400.tif 000014
【図１４】
0005533400.tif 000015
【図１５】
0005533400.tif 000016
【図１６】
0005533400.tif 000017
【図１７】
0005533400.tif 000018